(57)【要約】【課題】テープフィーダにセットした部品包装テープがエンボステープかパンチテープかを自動的に判別できるようにする。【解決手段】テープフィーダにセットしたエンボスタイプの部品包装テープ（エンボステープＡ）の下方に突出するエンボス部３２を検出可能な光センサ５１（非接触型センサ）を設ける。テープフィーダの部品供給動作の開始前又は開始時に部品包装テープ（Ａ，Ｂ）を順方向又は逆方向に送り動作して光センサ５１の出力信号を監視することで、エンボス部３２の有無を判別して、部品包装テープがエンボステープＡかパンチテープＢかを判別する。【選択図】図６
2010010238.tif 000002
【特許請求の範囲】
【請求項１】
テープフィーダにセットした部品包装テープのタイプが、部品収容部が下方に突出するエンボスタイプであるか、部品収容部が下方に突出しない非エンボスタイプであるかを判別する部品包装テープタイプ判別装置であって、
前記エンボスタイプの部品包装テープの下方に突出する部品収容部（以下「エンボス部」という）を検出可能なエンボス部検出手段と、
前記エンボス部検出手段の検出結果に基づいて前記エンボス部の有無を判別することで前記部品包装テープのタイプを判別するテープタイプ判別手段と
を備えていることを特徴とする部品包装テープタイプ判別装置。
【請求項２】
前記エンボス部検出手段は、前記テープフィーダのうちの前記エンボスタイプの部品包装テープのエンボス部が通る通路に面して設置された非接触型センサにより構成され、
前記テープタイプ判別手段は、テープフィーダの部品供給動作の開始前又は開始時に前記部品包装テープを順方向又は逆方向に送り動作して前記非接触型センサの出力信号を監視することで前記エンボス部の有無を判別して該部品包装テープのタイプを判別することを特徴とする請求項１に記載の部品包装テープタイプ判別装置。
【請求項３】
前記テープフィーダに先にセットした前記エンボスタイプの部品包装テープの後端に新たなエンボスタイプの部品包装テープの先端を連結テープでつなぎ合わせて使用する際に、作業者が前記連結テープを複数のエンボス部に跨がって貼着する場合に適用され、
前記テープタイプ判別手段は、テープフィーダの部品供給動作中に前記非接触型センサの出力信号を前記部品包装テープの送り量と関連付けて監視することで前記連結テープの有無を判別して前記部品包装テープのつなぎ目を検出することを特徴とする請求項２に記載の部品包装テープタイプ判別装置。
【請求項４】
前記エンボス部検出手段は、前記テープフィーダのうちの前記エンボスタイプの部品包装テープのエンボス部が通る通路に沿って設置された複数の非接触型センサにより構成され、
前記テープタイプ判別手段は、前記複数の非接触型センサの出力信号に基づいて前記エンボス部の有無を判別して部品包装テープのタイプを判別することを特徴とする請求項１に記載の部品包装テープタイプ判別装置。
【請求項５】
前記部品包装テープの片側には、前記テープフィーダのテープ送り用スプロケットの歯と噛み合うスプロケット孔が形成され、
前記エンボス部検出手段は、反射型の光センサで構成され、その投光素子と受光素子が前記部品包装テープのスプロケット孔側に寄せて配置され、その反対側に、前記投光素子からの光を前記受光素子側に反射する反射面が設けられ、前記投光素子と前記反射面との間を前記エンボスタイプの部品包装テープのエンボス部が通過するように構成されていることを特徴とする請求項１乃至４のいずれかに記載の部品包装テープタイプ判別装置。
【請求項６】
前記テープフィーダに前記エンボスタイプの部品包装テープがセットされている場合に前記部品包装テープの送り動作の駆動源となるモータの駆動ステップ数と前記エンボス部検出手段の検出結果との関係に基づいて該モータの異常の有無を診断する異常手段を備えていることを特徴とする請求項１乃至５のいずれかに記載の部品包装テープタイプ判別装置。
【請求項７】
前記テープフィーダは、部品実装機の吸着ノズルで部品を吸着する位置において、部品包装テープの部品収容部周囲の下面を基準にして該部品包装テープを高さ方向に位置決めしてピッチ送りするように構成されていることを特徴とする請求項１乃至６のいずれかに記載の部品包装テープタイプ判別装置。
【請求項８】
請求項７に記載の部品包装テープタイプ判別装置で判別した部品包装テープのタイプに応じて前記吸着ノズルの部品吸着高さ位置のデータを変更する吸着高さ位置変更手段を備えていることを特徴とする部品実装機の制御装置。
【発明の詳細な説明】
【技術分野】
【０００１】
本発明は、テープフィーダにセットした部品包装テープのタイプが、部品収容部が下方に突出するエンボスタイプであるか、部品収容部が下方に突出しない非エンボスタイプであるかを自動的に判別する部品包装テープタイプ判別装置及び部品実装機の制御装置に関する発明である。
【背景技術】
【０００２】
部品実装機に電子部品を供給するテープフィーダには、部品包装テープをセットするようになっている。この部品包装テープは、キャリアテープに多数の部品を一列に収容してトップテープでカバーして構成したものであり、例えば、特許文献１（ＷＯ２００５／１０１９４４号公報）、特許文献２（特開平１０−５６２９４号公報）、特許文献３（特開平１０−３２２０９７号公報）に記載されているように、部品収容部が下方に突出するエンボスタイプのテープと、部品収容部が下方に突出しない非エンボスタイプのテープ（パンチテープと呼ばれている）があり、どちらのタイプの部品包装テープでもセット可能にした共用タイプのテープフィーダが実用化されている。
【０００３】
しかし、図２〜図５に示すように、エンボスタイプのテープ（エンボステープ）と非エンボスタイプのテープ（パンチテープ）とでは、部品の収容構造が全く相違するため、部品包装テープの部品収容部周囲の下面を基準にして該部品包装テープを高さ方向に位置決めしてピッチ送りするテープフィーダを使用する場合は、部品包装テープのタイプによって、部品収容部内の部品の上面の高さ位置が異なってくる。このため、テープフィーダの部品吸着位置に送られてくる部品を部品実装機の吸着ノズルで吸着する際の吸着ノズルの部品吸着高さ位置（部品上面の高さ位置）のデータを部品包装テープのタイプに応じて切り替える必要がある。
【０００４】
このような事情から、予め、作業者がテープフィーダにセットする部品包装テープのタイプを、部品実装機の制御装置に生産管理データとして指定しておき、作業者が生産管理データの指定通りのタイプの部品包装テープをテープフィーダにセットするようにしたものがある。
【特許文献１】ＷＯ２００５／１０１９４４号公報
【特許文献２】特開平１０−５６２９４号公報
【特許文献３】特開平１０−３２２０９７号公報
【発明の開示】
【発明が解決しようとする課題】
【０００５】
しかし、作業者の作業ミスにより、生産管理データの指定とは異なるタイプの部品包装テープを間違えてセットしてしまうことがあり、その結果、部品実装機の吸着ノズルの部品吸着高さ位置が部品包装テープのタイプに応じた高さ位置にならず、部品吸着動作の精度・信頼性が悪化するという問題があった。
【０００６】
本発明はこのような事情を考慮してなされたものであり、従ってその目的は、テープフィーダにセットした部品包装テープのタイプを自動的に判別することができる部品包装テープタイプ判別装置及び部品実装機の制御装置を提供することにある。
【課題を解決するための手段】
【０００７】
上記目的を達成するために、請求項１に係る発明は、テープフィーダにセットした部品包装テープのタイプが、部品収容部が下方に突出するエンボスタイプであるか、部品収容部が下方に突出しない非エンボスタイプであるかを判別する部品包装テープタイプ判別装置であって、前記エンボスタイプの部品包装テープの下方に突出する部品収容部（以下「エンボス部」という）を検出可能なエンボス部検出手段と、前記エンボス部検出手段の検出結果に基づいて前記エンボス部の有無を判別することで前記部品包装テープのタイプを判別するテープタイプ判別手段とを備えた構成としたものである。この構成では、エンボス部検出手段の検出結果に基づいてエンボス部の有無を判別するようにしているため、エンボス部の有無によって、部品包装テープのタイプがエンボスタイプか非エンボスタイプかを自動的に判別することができる。
【０００８】
尚、テープタイプ判別手段を実現する機能は、テープフィーダ内部の制御装置に持たせても良いし、部品実装機の制御装置に持たせても良く、後者の場合は、テープフィーダのエンボス部検出手段の検出信号を部品実装機の制御装置に送信して部品実装機の制御装置で部品包装テープのタイプを判別するようにしても良い。
【０００９】
この場合、請求項２のように、前記エンボス部検出手段を、テープフィーダのうちのエンボスタイプの部品包装テープのエンボス部が通る通路に面して設置された非接触型センサにより構成し、前記テープタイプ判別手段によって、テープフィーダの部品供給動作の開始前又は開始時に部品包装テープを順方向又は逆方向に送り動作して前記非接触型センサの出力信号を監視することで、前記エンボス部の有無を判別して該部品包装テープのタイプを判別するようにしても良い。例えば、エンボスタイプの部品包装テープであっても、エンボス部間の空間部に非接触型センサが対向した状態で停止していると、エンボス部を検出できないが、この場合でも、部品包装テープを順方向又は逆方向に送り動作すれば、エンボス部を検出でき、エンボスタイプであることが判明する。従って、部品包装テープを順方向又は逆方向に送り動作して非接触型センサの出力信号を監視すれば、エンボス部を検出できたか否かで、エンボスタイプが非エンボスタイプかを自動的に判別することができる。
【００１０】
また、請求項３のように、テープフィーダに先にセットしたエンボスタイプの部品包装テープの後端に新たなエンボスタイプの部品包装テープの先端を連結テープでつなぎ合わせて使用する際に、作業者が前記連結テープを複数のエンボス部に跨がって貼着する場合に適用され、前記テープタイプ判別手段によって、テープフィーダの部品供給動作中に非接触型センサの出力信号を部品包装テープの送り量と関連付けて監視することで連結テープの有無を判別して部品包装テープのつなぎ目を検出するようにしても良い。このように、連結テープを複数のエンボス部に跨がって貼着すれば、連結テープの横幅がエンボス部の横幅よりも大幅に長くなるため、非接触型センサが検出対象物（エンボス部又は連結テープ）を検出している区間の長さ（部品包装テープの送り量）から検出対象物の横幅を計測することができ、その計測値から検出対象物がエンボス部か連結テープかを判別することができる。これにより、部品包装テープのタイプの判別に加え、連結テープ（エンボスタイプの部品包装テープのつなぎ目）も自動的に検出することができて、これらのデータを生産管理データとして自動的に部品実装機の制御装置に入力することができ、作業者のデータ入力作業を軽減することができると共に、作業者の作業ミスによる部品吸着動作の精度低下の問題を解消することができる。
【００１１】
或は、請求項４のように、エンボス部検出手段を、テープフィーダのうちのエンボスタイプの部品包装テープのエンボス部が通る通路に沿って設置された複数の非接触型センサにより構成し、前記複数の非接触型センサの出力信号に基づいてエンボス部の有無を判別して部品包装テープのタイプを判別するようにしても良い。複数の非接触型センサを用いれば、部品包装テープを送り動作しなくても、いずれかの非接触型センサがエンボス部を検出できる位置に複数の非接触型センサを配置することが可能である。また、図１１（ａ），（ｂ）に示すように、複数の非接触型センサの出力信号の組み合わせから、エンボス部の配列ピッチが狭いエンボステープか、エンボス部の配列ピッチが広いエンボステープかを判別できる位置に複数の非接触型センサを配置することも可能である。
【００１２】
尚、本発明は、複数の非接触型センサを用いる場合でも、判別結果の信頼性を高めるために、部品包装テープを順方向又は逆方向に送り動作して複数の非接触型センサの出力信号を監視することで、エンボス部の有無を判別して該部品包装テープのタイプを判別するようにしたり、エンボス部の配列ピッチを判定したり、連結テープの有無を判別するようにしても良い。
【００１３】
本発明で使用する非接触型センサとしては、例えば、光センサ（可視光センサ、レーザセンサ等）、超音波センサ等のいずれを用いても良く、また、光センサの場合は、反射型、透過型のいずれのタイプの光センサでも使用可能である。
【００１４】
一般に、部品包装テープの片側のみに、テープフィーダのテープ送り用スプロケットの歯と噛み合うスプロケット孔が形成されており、テープフィーダの内部に光センサを設置するスペースを考えると、スプロケット孔側の方がその反対側よりもスペースに余裕がある。
【００１５】
この点を考慮して、請求項５のように、エンボス部検出手段として反射型の光センサを用いる場合は、その投光素子と受光素子を部品包装テープのスプロケット孔側に寄せて配置し、その反対側に、前記投光素子からの光を前記受光素子側に反射する反射面を設け、前記投光素子と前記反射面との間をエンボスタイプの部品包装テープのエンボス部が通過するように構成すると良い。このように構成すれば、反射型の光センサの投光素子と受光素子を余裕がある方のスペースに設置することができ、テープフィーダ内部のスペースを有効に活用できる利点がある。
【００１６】
また、請求項６のように、テープフィーダにエンボスタイプの部品包装テープがセットされている場合に、部品包装テープの送り動作の駆動源となるモータの駆動ステップ数と前記エンボス部検出手段の検出結果との関係に基づいて該モータの異常の有無を異常手段により診断するようにしても良い。要するに、テープフィーダにエンボスタイプの部品包装テープがセットされている場合に、モータの駆動ステップ数がエンボス部の配列ピッチ相当分のステップ数を越えても、エンボス部検出手段によってエンボス部を検出できなければ、モータが正常に回転していないと判断することが可能であり、これにより、モータの異常の有無を診断することができる。
【００１７】
本発明は、請求項７のように、部品実装機の吸着ノズルで部品を吸着する位置において、部品包装テープの部品収容部周囲の下面を基準にして該部品包装テープを高さ方向に位置決めしてピッチ送りする構成のテープフィーダに適用すると良い。部品包装テープの部品収容部周囲の下面を基準にするテープフィーダでは、部品包装テープのタイプによって、部品収容部内の部品の上面の高さ位置が異なってくるためである。
【００１８】
また、請求項８のように、部品包装テープタイプ判別装置で判別した部品包装テープのタイプに応じて吸着ノズルの部品吸着高さ位置のデータを変更する吸着高さ位置変更手段を部品実装機の制御装置に搭載するようにしても良い。このようにすれば、部品包装テープタイプ判別装置で判別した部品包装テープのタイプに応じて吸着ノズルの部品吸着高さ位置のデータを自動的に変更することができ、作業者のデータ入力作業を軽減することができると共に、作業者の作業ミスによる部品吸着動作の精度低下の問題を解消することができる。
【発明を実施するための最良の形態】
【００１９】
以下、本発明を実施するための最良の形態を具体化した一実施例を説明する。
まず、図１に基づいてテープフィーダの構成を説明する。
テープフィーダのフィーダ本体１１の把手部１０側（図１において右側）には、部品包装テープ１２が巻回されたテープリール１３が脱着可能にセットできるようになっている。フィーダ本体１１の上面部には、テープリール１３から引き出した部品包装テープ１２を部品吸着位置へ案内するためのテープ通路を形成するテープガイド部材１５が取り付けられている。
【００２０】
フィーダ本体１１の奥側（図１において左側）には、テープガイド部材１５にセットされた部品包装テープ１２を部品吸着位置へピッチ送りするスプロケット１６と、これを回転駆動するステッピングモータ等のモータ（図示せず）とが取り付けられ、スプロケット１６の回転軸の真上の位置が部品吸着位置となっている。フィーダ本体１１の奥端面には、部品実装機側のコネクタ（図示せず）と接続される通信コネクタ１８と、部品実装機に対する取付位置を決める位置決めピン１９，２０が設けられている。
【００２１】
一般に、部品包装テープ１２は、キャリアテープに一定ピッチで一列に形成した各部品収容部に部品を収容してトップテープでカバーして構成したものであり、図２及び図３に示す部品収容部（エンボス部）３２が下方に突出するエンボスタイプの部品包装テープ（以下「エンボステープＡ」と表記する）と、図４及び図５に示す部品収容部４２が下方に突出しない非エンボスタイプの部品包装テープ（以下「パンチテープＢ」と表記する）とが存在する。本実施例のテープフィーダは、エンボステープＡとパンチテープＢをいずれもセット可能な共用タイプのテープフィーダとして構成されている。
【００２２】
エンボステープＡは、図２及び図３に示すように、キャリアテープである樹脂テープ３１に一定ピッチで一列に形成した各エンボス部（部品収容部）３２に、部品を１個ずつ収容し、該樹脂テープ３１の上面にトップテープ３３を引き剥がし可能に貼り付けることで、各エンボス部３２の上面開口部がトップテープ３３で封止されている。
【００２３】
一方、パンチテープＢは、図４及び図５に示すように、キャリアテープである紙テープ４１に一定ピッチで一列に形成した各部品収容部４２に、部品を１個ずつ収容し、該紙テープ４１の上面にトップテープ４３を引き剥がし可能に貼り付けることで、各部品収容部４２の上面開口部がトップテープ４３で封止されている。紙テープ４１の各部品収容部４２は、紙テープ４１にパンチング加工した角穴の底面をボトムテープ４４で塞いで形成されている。
【００２４】
部品包装テープ１２のタイプがエンボステープＡとパンチテープＢのどちらのタイプでも、部品包装テープ１２の片方の側縁部には、各部品収容部３２，４２と一定の位置関係でスプロケット孔１７が一定ピッチで一列に形成され、このスプロケット孔１７にスプロケット１６の歯１６ａが順番に嵌まり込みながらスプロケット１６が回転することで、部品包装テープ１２がテープリール１３側から部品吸着位置の方向へピッチ送りされるようになっている。部品包装テープ１２のスプロケット孔１７は、キャリアテープ（樹脂テープ３１，紙テープ４１）のうちのトップテープ３３，４３から露出した部分に形成されている。
【００２５】
テープガイド部材１５の上面側には、部品包装テープ１２をスプロケット１６側に押え付けるテープ押えカバー２４がスプリング等で下方に付勢された状態で設けられ、このテープ押えカバー２４によって部品包装テープ１２の浮き上がりを防止して、部品包装テープ１２のスプロケット孔１７とスプロケット１６の歯１６ａとの噛み合い状態を保持するようになっている。このテープ押えカバー２４には、部品吸着位置の直前で部品包装テープ１２からトップテープ３３，４３を引き剥がすためのトップテープ引き剥がし部（図示せず）が設けられ、このトップテープ引き剥がし部で引き剥がされたトップテープ３３，４３がトップテープ引出し機構（図示せず）によって部品包装テープ１２のピッチ送り方向とは反対方向に引き出されるようになっている。
【００２６】
ところで、エンボステープＡは、図２に示すように、部品が収容された部品収容部３２がテープガイド部材１５の上面に凹溝状に形成された通路２５内に嵌まり込んで、部品包装テープ１２の部品収容部３２周囲の下面がテープガイド部材１５の上面で受け支えられることで該部品包装テープ１２が高さ方向に位置決めされるように構成されているため、エンボステープＡの部品収容部３２の上面（部品の上面）の高さ位置がテープガイド部材１５の上面の高さ位置と略同一になる。
【００２７】
これに対して、パンチテープＢは、図４に示すように、部品が収容された部品収容部４２がテープガイド部材１５の上面の通路２５内に嵌まり込んでいないため、部品収容部４２の下面（部品の下面）の高さ位置がテープガイド部材１５の上面の高さ位置と略同一になる。従って、エンボステープＡとパンチテープＢとでは、収容された部品の上面の高さ位置が異なるため、スプロケット１６の回転軸の真上に位置する部品吸着位置に送られてくる部品を部品実装機の吸着ノズル（図示せず）で吸着する際の吸着ノズルの部品吸着高さ位置を部品包装テープ１２のタイプに応じて切り替える必要がある。
【００２８】
そこで、本実施例では、エンボステープＡの下方に突出するエンボス部３２を検出可能なエンボス部検出手段を設け、このエンボス部検出手段の検出結果に基づいてエンボス部３２の有無を判別することで、部品包装テープ１２のタイプを自動的に判別するようにしている。
【００２９】
以下、エンボス部検出手段について説明する。
エンボス部検出手段は、テープフィーダのうちのエンボステープＡのエンボス部３２が通る通路に面して設置された非接触型センサにより構成されている。ここで、非接触型センサとしては、例えば、光センサ（可視光センサ、レーザセンサ等）、超音波センサ等のいずれを用いても良く、また、光センサの場合は、反射型、透過型のいずれのタイプの光センサでも使用可能である。
【００３０】
一般に、部品包装テープ１２の片側のみに、テープフィーダのテープ送り用スプロケット１６の歯と噛み合うスプロケット孔１７が形成されており、テープフィーダの内部に光センサを設置するスペースを考えると、スプロケット孔１７側の方がその反対側よりもスペースに余裕がある。
【００３１】
この点を考慮して、図６に示すように、反射型の光センサ５１を用いる場合は、その投光素子５２と受光素子５３を、通路２５の側面のうちの部品包装テープ１２のスプロケット孔１７側の側面に設置し、その反対側の側面に、投光素子５２からの光を受光素子５３側に反射する反射面となる反射シート５４を設け、前記投光素子５２と前記反射シート５４との間をエンボステープＡのエンボス部３２が通過するように構成すると良い。このように構成すれば、反射型の光センサ５１の投光素子５２と受光素子５３を余裕がある方のスペースに設置することができ、テープフィーダ内部のスペースを有効に活用できる利点がある。
【００３２】
但し、本発明は、反射型の光センサを用いる場合でも、投光素子・受光素子と反射シートとの位置関係を図６の構成とは反対にしても良い。また、通路２５の側面を投光素子からの光を受光素子側に反射する反射面としてそのまま利用できる場合は、反射シート５４は不要である。
【００３３】
また、図７に示すように、透過型の光センサ５６を用いる場合は、通路２５の一方の側面に投光素子５７を設置し、他方の側面のうちの投光素子５７と対向する位置に受光素子５８を設置し、前記投光素子５７と前記受光素子５８との間をエンボステープＡのエンボス部３２が通過するように構成すれば良い。
【００３４】
また、テープフィーダに先にセットした部品包装テープ１２の後端に新たな部品包装テープ１２の先端を連結テープでつなぎ合わせて使用する際に、図８に示すように、エンボステープＡの場合は、作業者が連結テープ６１を複数のエンボス部３２に跨がって貼着して、当該エンボス部３２間の隙間の側面を連結テープ６１で塞ぎ、パンチテープＢの場合は、図示はしないが、作業者がエンボステープＡのエンボス部３２の横幅よりも長い連結テープを、パンチテープＢのつなぎ目に、一部が下方に垂れ下がるように貼着して、光センサ（非接触型センサ）で連結テープを検出できるようにしている。尚、連結テープ６１は、トップテープ３３，４３の引き剥がしを妨げない位置に貼着され、連結テープ６１が貼着された部分においても、トップテープ３３，４３を引き剥がすことで、部品が露出して吸着ノズルで吸着できるようになっている。
【００３５】
本実施例では、図９の部品包装テープタイプ判別プログラムを実行することで、テープフィーダの部品供給動作の開始前又は開始時に部品包装テープ１２を順方向又は逆方向に送り動作して光センサ（非接触型センサ）の出力信号を監視することで、エンボス部３２の有無を判別して部品包装テープ１２のタイプを判別する。その後、テープフィーダの部品供給動作中に、光センサ（非接触型センサ）の出力信号を部品包装テープ１２の送り量と関連付けて監視することで、連結テープ６１の有無を判別して部品包装テープ１２のつなぎ目（スプライス部）を検出する。
【００３６】
また、図１０のモータ異常診断プログラムを実行することで、テープフィーダにエンボステープＡがセットされている場合に、エンボステープＡの送り動作の駆動源となるモータの駆動ステップ数と光センサ（非接触型センサ）の検出結果との関係に基づいて該モータの異常の有無を診断する。以下、これら図９及び図１０の各プログラムの処理内容を説明する。
【００３７】
［部品包装テープタイプ判別プログラム］
図９の部品包装テープタイプ判別プログラムは、テープフィーダの制御装置及び／又は部品実装機の制御装置によってテープフィーダの部品供給動作の開始前（部品実装機の生産開始前）から所定周期で実行され、且つ、部品供給動作中（生産中）も所定周期で実行され、特許請求の範囲でいうテープタイプ判別手段としての役割を果たす。
【００３８】
本プログラムが起動されると、まずステップ１００で、テープフィーダのモータと光センサが両方とも正常であるか否か（異常が検出されていないか否か）を判定する。ここで、モータの異常診断は、後述する図１０のモータ異常診断プログラム等によって実行され、光センサの異常診断は、例えば、光センサの出力電圧が正常電圧であるか否か（センサ回路の断線の有無、投光・受光素子へのごみ付着の有無等）を判定すれば良い。
【００３９】
このステップ１００で、モータと光センサのいずれか一方又は両方が異常と判定されれば、部品包装テープ１２のタイプを判別不能であるため、以降の処理を行うことなく、そのまま本プログラムを終了する。
【００４０】
これに対して、上記ステップ１００で、モータと光センサが両方とも正常であると判定されれば、ステップ１０１に進み、既に部品包装テープ１２のタイプを判別済みであるか否かを判定し、まだ、部品包装テープ１２のタイプを判別していなければ、ステップ１０２に進み、モータを始動して部品包装テープ１２を順方向又は逆方向に送り動作する。
【００４１】
次のステップ１０３で、部品包装テープ１２の送り量が所定量を越えたか否かを判定する。ここで、所定量は、エンボステープＡの場合にエンボス部３２を確実に検出するために、エンボステープＡのエンボス部３２の配列ピッチの１ピッチ分又はこれよりも少し大きい値に設定されている。このステップ１０３で、部品包装テープ１２の送り量が所定量を越えたと判定されるまで、部品包装テープ１２の送り動作を実行する。
【００４２】
そして、上記ステップ１０３で、部品包装テープ１２の送り量が所定量（エンボステープのエンボス部３２の配列ピッチの１ピッチ分又はこれよりも少し大きい値）を越えたと判定された時点で、ステップ１０４に進み、部品包装テープ１２の送り動作中の光センサの出力信号を監視してエンボス部３２を検出したか否かを判定する。その結果、エンボス部３２が検出されば、ステップ１０５に進み、部品包装テープ１２のタイプがエンボステープＡであると判定し、エンボス部３２が検出されなければ、ステップ１０６に進み、部品包装テープ１２のタイプがパンチテープＢであると判定する。
【００４３】
この後、ステップ１０７に進み、部品包装テープ１２を元の位置まで戻した後、ステップ１０８に進み、部品包装テープ１２のタイプの判別結果に応じて吸着ノズルの部品吸着高さ位置のデータを変更して本プログラムを終了する。このステップ１０８の処理が特許請求の範囲でいう吸着高さ位置変更手段としての役割を果たす。
【００４４】
一方、前述したステップ１０１で、部品包装テープ１２のタイプの判別済みと判定されれば、ステップ１１１に進み、部品供給動作中（生産中）であるか否かを判定し、まだ、部品供給動作が開始されていなければ（又は既に部品供給動作が終了していれば）、以降の処理を行わず、そのまま本プログラムを終了する。
【００４５】
これに対して、上記ステップ１１１で、部品供給動作中（生産中）と判定されれば、ステップ１１２に進み、光センサが検出対象物（エンボス部３２又は連結テープ）を検出中であるか否かを判定し、光センサが検出対象物を検出していなければ、以降の処理を行わず、そのまま本プログラムを終了する。
【００４６】
一方、光センサが検出対象物を検出中であれば、ステップ１１３に進み、光センサが検出対象物（エンボス部３２又は連結テープ）を検出している区間の長さ（部品包装テープ１２の送り量）から検出対象物の横幅を計測する。部品包装テープ１２の送り量は、例えば、モータの駆動ステップ数から換算すれば良い。
【００４７】
この後、ステップ１１４に進み、検出対象物の横幅がエンボス部３２の横幅よりも大きいか否かを判定し、検出対象物の横幅がエンボス部３２の横幅と同じであれば、そのまま本プログラムを終了する。
【００４８】
これに対して、検出対象物の横幅がエンボス部３２の横幅よりも大きければ、ステップ１１５に進み、光センサで検出した物が連結テープ６１であると判定して本プログラムを終了する。このようにして、連結テープ６１を検出することで、部品包装テープ１２のつなぎ目（スプライス部）が検出される。
【００４９】
尚、本プログラムをテープフィーダの制御装置で実行する場合は、本プログラムの処理結果のデータは、部品実装機の制御装置に生産管理データとして送信される。本プログラムを部品実装機の制御装置で実行する場合は、本プログラムの処理結果のデータがそのまま生産管理データとして使用される。
【００５０】
［モータ異常診断プログラム］
図１０のモータ異常診断プログラムは、テープフィーダの制御装置及び／又は部品実装機の制御装置によってテープフィーダの部品供給動作中（生産中）に所定周期で実行され、特許請求の範囲でいう異常診断手段としての役割を果たす。
【００５１】
本プログラムが起動されると、まずステップ２０１で、光センサが正常であるか否か（異常が検出されていないか否か）を判定する。この光センサの異常診断は、例えば、光センサの出力電圧が正常電圧であるか否か（センサ回路の断線の有無、投光・受光素子へのごみ付着の有無等）を判定すれば良い。
【００５２】
このステップ２０１で、光センサが異常と判定されれば、以降の処理を行うことなく、そのまま本プログラムを終了する。一方、上記ステップ２０１で、光センサが正常であると判定されれば、ステップ２０２に進み、前記図９の部品包装テープタイプ判別プログラムの処理によって、テープフィーダにセットされている部品包装テープ１２のタイプがエンボステープＡと判定されているか否かを判定し、エンボステープＡと判定されていなければ、以降の処理を行うことなく、そのまま本プログラムを終了する。
【００５３】
これに対して、前記図９の部品包装テープタイプ判別プログラムの処理によって、エンボステープＡと判定されていれば、ステップ２０３に進み、モータの駆動ステップ数をカウントするモータ駆動ステップ数カウンタのカウント値が所定値を越えたか否かを判定する。ここで、所定値は、例えば、エンボステープＡのエンボス部３２の配列ピッチの１ピッチ分（又はこれよりも大きい所定距離）を駆動するのに必要な駆動ステップ数に設定されている。
【００５４】
このステップ２０３で、まだモータ駆動ステップ数カウンタのカウント値が所定値に達していないと判定されれば、以降の処理を行うことなく、そのまま本プログラムを終了する。一方、ステップ２０３で、モータ駆動ステップ数カウンタのカウント値が所定値を越えたと判定されれば、ステップ２０４に進み、エンボステープＡの送り動作中の光センサの出力信号を監視してエンボス部３２を検出したか否かを判定する。その結果、エンボス部３２が検出されれば、エンボステープＡの送り動作が正常に行われたと判断して、ステップ２０５に進み、モータが正常であると判定する。
【００５５】
これに対して、エンボス部３２が検出されなければ、エンボステープＡの送り動作が正常に行われなかったと判断して、ステップ２０６に進み、モータが異常であると判定する。この後、ステップ２０７に進み、モータ駆動ステップ数カウンタのカウント値を初期値「０」にリセットして本プログラムを終了する。
【００５６】
以上説明した本実施例によれば、テープフィーダの部品供給動作の開始前又は開始時に部品包装テープ１２を順方向又は逆方向に送り動作して光センサ（非接触型センサ）の出力信号を監視することで、エンボス部３２の有無を判別して部品包装テープ１２のタイプを判別するようにしたので、部品包装テープ１２のタイプがエンボステープＡかパンチテープＢかを自動的に判別することができて、このデータを生産管理データとして自動的に部品実装機の制御装置に入力することができる。これにより、作業者のデータ入力作業を軽減することができると共に、作業者の作業ミスによる部品吸着動作の精度低下の問題を解消できる。
【００５７】
しかも、テープフィーダの部品供給動作中に、光センサ（非接触型センサ）の出力信号を部品包装テープ１２の送り量と関連付けて監視することで、連結テープ６１の有無を判別するようにしたので、部品包装テープ１２のつなぎ目（スプライス部）を自動的に検出することができ、このデータも生産管理データとして自動的に部品実装機の制御装置に入力することができる。
【００５８】
更に、部品包装テープ１２のタイプの判別結果に応じて吸着ノズルの部品吸着高さ位置のデータを自動的に変更する機能を持たせるようにしたので、このデータも生産管理データとして自動的に部品実装機の制御装置に入力することができる。
【００５９】
また、本実施例では、テープフィーダにエンボステープＡがセットされている場合に、エンボステープＡの送り動作の駆動源となるモータの駆動ステップ数と光センサの検出結果との関係に基づいて該モータの異常の有無を診断するようにしたので、テープフィーダの部品供給動作中に、万一、モータの異常が発生した場合には、光センサの検出結果を利用してモータの異常を速やかに検出することができる。
【００６０】
尚、上記実施例では、エンボス部検出手段を１個の光センサ（非接触型センサ）で構成したが、図１１に示す本発明の他の実施例のように、エンボス部検出手段を、テープフィーダのうちのエンボステープＡのエンボス部３２が通る通路に沿って設置された複数の光センサ７１（非接触型センサ）により構成しても良い。
【００６１】
例えば、図１１（ａ）に示す例では、２個の光センサ７１を用い、エンボス部３２の配列ピッチが広いエンボステープＡを使用したときに、いずれか一方の光センサ７１の投光・受光素子７２がエンボス部３２間の空間部に対向し、他方の光センサ７１の投光・受光素子７２がエンボス部３２に対向するように２個の光センサ７１が配置されている。つまり、常に、２個の光センサ７１のうちの片方の光センサ７１のみで１個のエンボス部３２を検出するように構成されている。
【００６２】
この場合、図１１（ｂ）に示すように、エンボス部３２の配列ピッチが狭いエンボステープＡを使用した場合には、エンボステープＡを送り動作すると、２個の光センサ７１の投光・受光素子７２が同時に２個のエンボス部３２に対向する位置があり、その位置で、同時に２個のエンボス部３２が検出される。
【００６３】
従って、図１１（ａ）と（ｂ）の関係から、エンボステープＡを送り動作して、２個の光センサ７１が同時に２個のエンボス部３２を検出する位置があるか否かで、エンボス部３２の配列ピッチが狭いか広いかを判別することができる。
【００６４】
また、複数の光センサ７１（非接触型センサ）を用いる場合は、部品包装テープ１２を送り動作しなくても、いずれかの光センサ７１がエンボス部３２を検出できる位置に複数の光センサ７１を配置するようにしても良い。このようにすれば、テープフィーダの部品供給動作の開始前（生産開始前）に、部品包装テープ１２を送り動作しなくても、いずれかの光センサ７１がエンボス部３２を検出しているか否かで、エンボステープＡかパンチテープＢかを判別することができる。
【図面の簡単な説明】
【００６５】
【図１】本発明の一実施例におけるテープフィーダの側面図である。
【図２】エンボステープをテープガイド部材上にセットした状態を示す縦断面図である。
【図３】エンボステープの部分側面図である。
【図４】パンチテープをテープガイド部材上にセットした状態を示す縦断面図である。
【図５】パンチテープの部分側面図である。
【図６】反射型の光センサの配置例を示し、（ａ）は反射型の光センサとその周辺部分の上面図、（ｂ）はエンボステープをセットした場合の反射型の光センサとその周辺部分の側面図、（ｃ）はパンチテープをセットした場合の反射型の光センサとその周辺部分の側面図である。
【図７】透過型の光センサの配置例を示し、（ａ）は透過型の光センサとその周辺部分の上面図、（ｂ）はエンボステープをセットした場合の透過型の光センサとその周辺部分の側面図、（ｃ）はパンチテープをセットした場合の透過型の光センサとその周辺部分の側面図である。
【図８】２つのエンボステープを連結テープでつなぎ合わせた状態を示す側面図である。
【図９】部品包装テープタイプ判別プログラムの処理の流れを示すフローチャートである。
【図１０】モータ異常診断プログラムの処理の流れを示すフローチャートである。
【図１１】２個の光センサの配置例を示し、（ａ）はエンボス部の配列ピッチが広いエンボステープを使用したときの側面図、（ｂ）はエンボス部の配列ピッチが狭いエンボステープを使用したときの側面図である。
【符号の説明】
【００６６】
１１…フィーダ本体、１２…部品包装テープ（Ａ…エンボステープ、Ｂ…パンチテープ）、１３…テープリール、１５…テープガイド部材、１６…スプロケット、１６ａ…歯、１７…スプロケット孔、２５…通路、３１…樹脂テープ（キャリアテープ）、３２…エンボス部（部品収容部）、３３…トップテープ、４１…紙テープ（キャリアテープ）、４２…部品収容部、４３…トップテープ、４４…ボトムテープ、５１…反射型の光センサ、５２…投光素子、５３…受光素子、５４…反射シート（反射面）、５６…透過型の光センサ、５７…投光素子、５８…受光素子、６１…連結テープ、７１…光センサ、７２…投光・受光素子
【図１】
2010010238.tif 000003
【図２】
2010010238.tif 000004
【図３】
2010010238.tif 000005
【図４】
2010010238.tif 000006
【図５】
2010010238.tif 000007
【図６】
2010010238.tif 000008
【図７】
2010010238.tif 000009
【図８】
2010010238.tif 000010
【図９】
2010010238.tif 000011
【図１０】
2010010238.tif 000012
【図１１】
2010010238.tif 000013